(57)【要約】【課題】記録再生装置における再生開始までの時間を短くする。【解決手段】低消費電力状態から、記録された映像データを読み出すことが可能な状態に遷移するまでの時間が短い第１の記録媒体（フラッシュメモリ）１０３と、その時間が第１の記録媒体よりも長い第２の記録媒体（ＨＤＤ又はＤＶＤドライブ）１０１，１０２とを備える。第２の記録媒体１０１，１０２に記録されている映像コンテンツを再生する場合に、当該第２の記録媒体１０１，１０２が読み出し可能な状態にない場合には、部分データを記録した第１の記録媒体１０３を読み出し可能な状態に遷移させて、該当コンテンツの冒頭部分を再生することにより、再生までに要する第２の記録媒体１０１，１０２の起動時間を隠蔽し、即座にユーザの再生要求に応える。【選択図】図１
2009110612.tif 000002
【特許請求の範囲】
【請求項１】
低消費電力状態から、記録された映像データを読み出すことが可能な状態に遷移するまでの時間が短い第１の記録媒体と、その時間が前記第１の記録媒体よりも長い第２の記録媒体と、前記第１及び第２の記録媒体を制御して、記録されている映像コンテンツを再生する再生制御手段とを具備した記録再生装置であって、
前記再生制御手段は、前記第２の記録媒体に記録されている映像コンテンツを再生する場合に、前記第２の記録媒体が読み出し可能な状態にない場合には、前記第１の記録媒体を読み出し可能な状態に遷移させて、該当コンテンツを再生することを特徴とする記録再生装置。
【請求項２】
前記再生制御手段は、前記第２の記録媒体に記録されている映像コンテンツを再生する場合に、前記第２の記録媒体が、低消費電力状態から、記録された映像データを読み出すことが可能な状態に遷移するまでの間、前記第１の記録媒体から映像コンテンツを再生し、前記第２の記録媒体が読み出し可能状態に遷移した後は、前記第１の記録媒体から再生した映像コンテンツの続きのデータを前記第２の記録媒体から再生することを特徴とする請求項１に記載の記録再生装置。
【請求項３】
前記第１の記録媒体に記録されたコンテンツと、前記第１の記録媒体より再生できるそのコンテンツの再生時間情報とを対応付けて前記第１の記録媒体に記録し、前記コンテンツの再生時間情報と、前記第２の記録媒体が低消費電力状態から記録された映像データを読み出すことが可能な状態に遷移するまでの時間情報とを元に、前記第１及び第２の記録媒体からの再生の切り替えをシームレスに行うことを特徴とする請求項１に記載の記録再生装置。
【請求項４】
前記第２の記録媒体が低消費電力状態から記録された映像データを読み出すことが可能な状態に遷移するまでの時間情報を得るために、前記第２の記録媒体内に遷移の状態の経過を示すタイマーを更に具備することを特徴とする請求項１に記載の記録再生装置。
【請求項５】
前記第２の記録媒体より映像コンテンツを再生中に、前記第２の記録媒体を読み出し可能状態から、低消費電力状態へ遷移させスリープ状態へ移行する場合、前記第２の記録媒体からの再生が停止した直後のコンテンツデータ、又は停止した前後のコンテンツデータを前記第１の記録媒体へコピーし、
前記第２の記録媒体からの再生再開の要求が起こった場合、前記第２の記録媒体が読み出し可能な状態に遷移するまでの間、前記第１の記録媒体を読み出し可能な状態に遷移させて、前記第１の記録媒体へコピーされたコンテンツデータを再生し、前記第２の記録媒体が読み出し可能状態に遷移した後は、前記第１の記録媒体から再生した映像コンテンツの続きのデータを前記第２の記録媒体から再生することを特徴とする請求項１に記載の記録再生装置。
【請求項６】
前記第２の記録媒体に記録されている映像コンテンツから、前記第１の記録媒体を用いた映像コンテンツの再生に不要な情報を削除する記録フォーマット変換部を更に具備し、
前記フォーマット変換された映像コンテンツを前記第１の記録媒体に記録し、前記記録された映像コンテンツを前記第１の記録媒体より再生することを特徴とする請求項１に記載の記録再生装置。
【請求項７】
前記第１の記録媒体は、不揮発性半導体メモリであることを特徴とする請求項１に記載の記録再生装置。
【請求項８】
前記第２の記録媒体は、磁気ディスクメディア、光ディスクメディアのいずれか、又はその組合せであることを特徴とする請求項１に記載の記録再生装置。
【発明の詳細な説明】
【技術分野】
【０００１】
本発明は、データのアクセスが可能になるまでの起動時間が異なる２つ以上の記録媒体を有する記録再生装置に関するものである。
【背景技術】
【０００２】
ある従来技術によれば、ハードディスクドライブ（ＨＤＤ）と光ディスクドライブとの組み合わせが映像コンテンツの記録に供される。具体的には、コンテンツデータの全体を光ディスクに、その先頭部分を含むファイル情報をＨＤＤにそれぞれ記録しておき、再生要求があった場合、まずＨＤＤ内のデータを用いて再生を開始し、残りの部分のデータを光ディスクから読み出してＨＤＤに転送して記録しながら、当該ＨＤＤ内のデータを順に再生する。つまり、光ディスクドライブを低速デバイスに、ＨＤＤを高速デバイスにそれぞれ位置付けてアクセスを高速化するキャッシュ技術が採用され、キャッシュミスがあれば、低速デバイスから高速デバイスへのデータ転送動作が入り、直接のアクセスは高速デバイスが主体となる（特許文献１参照）。
【特許文献１】特開２００１−１４１１０号公報
【発明の開示】
【発明が解決しようとする課題】
【０００３】
ところが、近年のハードディスク等の記録媒体の大容量化に伴い、電源投入からデータの読出しが可能になるまでの記録媒体の起動時間が長くなり、再生開始までに要する時間が大きくなる問題が顕著化してきた。
【０００４】
また、大容量記録媒体は消費電力が大きく、これらの記録媒体にアクセスが発生しない場合には、消費電力を抑えることができるローパワーモードにすることが望ましい。しかし、従来の構成では、ローパワーモードにすると、データの読み出しが可能な通常の状態までに遷移する時間が必要となり、低消費電力とアクセスの快適さが両立できない。
【０００５】
本発明は上記従来の問題点を解決するものであり、上記の再生開始までに要する時間を短くするという課題を解決することのできるシステム構成を有する記録再生装置を提供することを目的とする。
【課題を解決するための手段】
【０００６】
前記のような目的を達成するため、本発明による記録再生装置は、低消費電力状態から、記録された映像データを読み出すことが可能な状態に遷移するまでの時間が短い第１の記録媒体と、その時間が前記第１の記録媒体よりも長い第２の記録媒体と、前記第１及び第２の記録媒体を制御して、記録されている映像コンテンツを再生する再生制御手段とを具備し、まず読み出し可能状態への遷移が速い第１の記録媒体より映像コンテンツを再生し、次に第２の記録媒体が読み出し可能状態へ遷移した後は、第２の記録媒体より続きのコンテンツを再生する。
【０００７】
本構成により、大容量であるが低消費電力状態からアクセス可能状態までの遷移が遅いような記録媒体の欠点を補い、再生要求が起こってから再生が開始されるまでの時間を短縮することができる。
【発明の効果】
【０００８】
本発明により、再生の開始までに要する時間を短縮でき、以て高速な再生起動が可能になる。
【発明を実施するための最良の形態】
【０００９】
以下、本発明の記録再生装置における一実施形態について、図面を参照しながら詳細に説明する。
【００１０】
図１は、本発明の一実施形態における記録再生装置の構成を模式的に表したものである。１０１はＨＤＤ、１０２はＤＶＤドライブ、１０３はフラッシュメモリ、１０４は記録媒体と画像処理ＬＳＩとのインターフェースを制御するインターフェース制御部、１０５はエンコーダ、１０６はエンコーダ１０５がエンコード処理に使用するエンコーダ用ＳＤＲＡＭ、１０７はデコーダ、１０８はデコーダ１０７がデコード処理に使用するデコーダ用ＳＤＲＡＭ、１０９は記録フォーマットを変換する記録フォーマット変換部、１１０は画像処理ＬＳＩである。
【００１１】
本記録再生装置は、エンコーダ１０５を通して画像データを符号化し、ＨＤＤ１０１、フラッシュメモリ１０３、ＤＶＤドライブ１０２に書き込む。また、再生時にはＨＤＤ１０１、フラッシュメモリ１０３、ＤＶＤドライブ１０２から、記録されたコンテンツをデコードし動作する。
【００１２】
記録再生装置の記録媒体となる、ＨＤＤ１０１、ＤＶＤドライブ１０２、フラッシュメモリ１０３には、コンテンツが記録再生される。インターフェース制御部１０４は、画像処理ＬＳＩ１１０に供給するコンテンツを、これらの記録媒体の中から選択し、コンテンツを転送する。エンコーダ１０５は入力画像をエンコード処理する。デコーダ１０７は再生コンテンツをデコードする。記録フォーマット変換部１０９は、記録容量削減のために、本記録再生装置におけるフラッシュメモリ１０３からの再生に不要な情報を削除する。
【００１３】
ここで、ＨＤＤ１０１やＤＶＤドライブ１０２は、一般的に消費電力が多く、使用しない場合はできればローパワーモードにすることが望ましい。ただし、これらの記録媒体は、一旦ローパワーモードにすると、利用可能になるまでには時間が大きい。
【００１４】
なお、ＨＤＤ１０１、ＤＶＤドライブ１０２は上記のようなデバイスの例として挙げており、これらのデバイスに代えて、例えばネットワークストレージなどのような応答に時間がかかる場合があるものでも発明の本質を損なわない。
【００１５】
ＨＤＤ１０１の具体例として、１．８インチＨＤＤ（１２０ＧＢ容量）の場合には消費電力約１Ｗ、起動時間最大２秒程度であり、２．５インチＨＤＤ（２５０ＧＢ容量）の場合には消費電力約１．４〜２．５Ｗ、起動時間最大３秒程度である。また、３．５インチＨＤＤ（１ＴＢ容量）の場合には、消費電力約１０Ｗ前後、起動時間最大１３秒程度である。
【００１６】
反対にフラッシュメモリ１０３は、ローパワーモードから電源ＯＮにした場合に、アクセス可能になるまでの時間がきわめて短い。ここでもフラッシュメモリ１０３を上記のようなデバイスの例として挙げているが、ＳＳＤ（Solid State Drive）などの記録媒体がアクセス可能になるまでの時間が短い記録媒体であればかまわない。
【００１７】
本発明は、このような応答の速い記録デバイスと、応答の遅い記録デバイスとの特徴を組み合わせて効果を発揮させるものである。更に注意すべきは、応答の遅いということは、アクセス速度が遅いこととは違う意味であることを理解しておくべきである。
【００１８】
フラッシュメモリ１０３とＨＤＤ１０１とを比べると、ＨＤＤ１０１のほうがデータ転送速度も速く、容量も大きい。このような複数のメモリ利用では、アクセス速度が速いメモリを使ってスピードを高速化するキャッシュ技術がよく知られているが、本発明はアクセス速度が速いメモリを必ずしも使うものではなく、記録媒体の起動時間に注目していることを注意しておく。また、２種類の記録デバイスのうち、１種類はある限られた状況のみ使用される。
【００１９】
通常のキャッシュ技術ではキャッシュミスがあれば、高速デバイスへの転送動作が入り、直接のアクセスは高速デバイスが主体となる。しかし本発明の技術は、データがないときは、他のデバイスから入手するだけであり、通常動作中の転送は行なう必要がない。
【００２０】
本実施形態の記録再生装置が従来と大きく異なるのは、フラッシュメモリ１０３の搭載である。このフラッシュメモリ１０３の起動時間は、ＨＤＤ１０１に比較して圧倒的に短い。
【００２１】
ＨＤＤ１０１やＤＶＤドライブ１０２が利用可能な状態になっている場合、フラッシュメモリ１０３は使わずＨＤＤ１０１やＤＶＤドライブ１０２から再生を行う。このようなＨＤＤ１０１が起動してからの動作は、従来と特に差がないため、省略し、ＨＤＤ１０１がローパワー状態から、再生開始、再生から停止といった状況について説明する。つまり、本発明の特徴は、ＨＤＤ１０１やＤＶＤドライブ１０２が読み出し可能な状態にない場合の動作であるため、このときの動作について以下に詳細に説明する。
【００２２】
読み出し可能でない状況というのは、具体的に言えば電源をＯＮした直後や、ローパワーモードになっているような状況である。このような状況で再生操作を行っても、ＨＤＤ１０１が立ち上がるまでは何もできなかったのが従来のＨＤＤレコーダであった。本発明のＨＤＤレコーダは、このような問題を解決するため、以下の手順で動作する。
【００２３】
以下、図２のフローチャートを参照して、詳細動作について説明する。まず、ＨＤＤ１０１が起動されているかどうかを調べ、起動されていれば従来のＨＤＤレコーダと同様に振舞う（Ｓ２０１）。
【００２４】
次に、フラッシュメモリ１０３を立ち上げる。これは前述したように一瞬である（Ｓ２０２）。そして、フラッシュメモリ１０３から初期メニュー表示データを取得しユーザに提供する（Ｓ２０３）。ここで表示されるメニューは、フラッシュメモリ１０３に記録されたデータから構成できるメニューを主として表示したほうが望ましい。例えば、見る頻度が高いデータであったり、つい最近記録したデータであったり、直前まで見ていたデータであったりすればよい。これらはフラッシュメモリ１０３に記録されている可能性が高い。フラッシュメモリ１０３にどのようにしてデータを書き込むかについては後述する。また、コンテンツデータがフラッシュメモリ１０３に全く存在しない場合には、別画面として用意しユーザがすぐには選択できないようにしておいてもよい。なお、メニュー自身も全てフラッシュメモリ１０３に書いておく必要はなく、頻度が低いと思われるメニューに関しては、ＨＤＤ１０１から読み込んでもよい。いずれにしても、最初に表示するメニューは、ユーザからの要求が起こった直後にフラッシュメモリ１０３から表示可能になるため、非常に高速に表示できる。
【００２５】
次に、選択されたコンテンツがフラッシュメモリ１０３から再生できる時間情報と、そのコンテンツの続きのデータが入っているメディアが残りどのくらいでリード可能になるかを調べる（Ｓ２０４）。このため、フラッシュメモリ１０３上のコンテンツには、コンテンツとそのコンテンツをフラッシュメモリ１０３から再生できる時間情報とが対応付けられて記録されていることが望ましい。また、ＨＤＤ１０１があとどれくらいで起動完了するかのタイマーがＨＤＤ１０１自身にあれば便利であるが、なくてもワースト時間で推測してもよい。図１のＨＤＤ１０１には起動残り時間を示すタイマーが装備されている。
【００２６】
ステップＳ２０４の計算結果より、フラッシュメモリ１０３からのコンテンツ再生が終了した後、その続きのコンテンツをＨＤＤ１０１よりシームレスに再生できるかどうかを調べる（Ｓ２０５）。もしシームレスな再生ができないと判断した場合は、特定時間だけ待つ（Ｓ２０６）。これを繰り返し、フラッシュメモリ１０３とＨＤＤ１０１からのコンテンツの再生がシームレスに行えるようになるポイントまで待つ。通常は、ＨＤＤ１０１の起動に要する時間分のコンテンツデータをフラッシュメモリ１０３に格納しておくため、ここで大きな待ち時間が発生することはない。なお、ステップＳ２０４〜Ｓ２０６の本質は、シームレスなメディア切り替えの再生が実現できる一例であり、必ずしもこの例に限定されるものではない。
【００２７】
次に、フラッシュメモリ１０３内のコンテンツデータをデコーダ１０７に供給し、再生を行う（Ｓ２０７）。
【００２８】
そして、フラッシュメモリ１０３内のコンテンツデータの再生が終了する（Ｓ２０８）と、ステップＳ２０４で求めた切り替え情報を元に、フラッシュメモリ１０３より再生したコンテンツデータの続きのデータを、ＨＤＤ１０１からデコーダ１０７に供給し、再生する（Ｓ２０９）。ステップＳ２０５〜Ｓ２０６により、フラッシュメモリ１０３からのコンテンツ供給が終わったときには、ＨＤＤ１０１からの読み出しが可能になっていることが高い確率で保証される。
【００２９】
以上のフローで明らかなとおり、フラッシュメモリ１０３内のコンテンツは動画を全て記録しておく必要はなく、そのコンテンツ本体が入っているメディアが読み出し可能になるワースト時間だけ持っていれば十分である。したがって、フラッシュメモリ１０３中のコンテンツのデータ量は、それほど多くなくても十分である。
【００３０】
また、ユーザがＨＤＤ１０１の起動を待たなくてもすぐに所望のコンテンツを選択できるように、フラッシュメモリ１０３に入れるべきコンテンツは、各コンテンツの先頭部分であればよい。
【００３１】
ここで、ＨＤＤ１０１の起動時間が最大１３秒であり、アナログ放送（ＳＤ）を記録する場合の記録ビットレートが６Ｍｂｐｓであり、地上デジタル放送（ＨＤ）を記録する場合の記録ビットレートが２５Ｍｂｐｓであるものとして、本発明の定量的な効果を見積もると、次のようになる。
【００３２】
まず、アナログ放送を１時間記録した場合の記録容量は、６Ｍｂｐｓ×３６００秒＝２１．６Ｇｂ（ギガビット）となる。一方、地上デジタル放送を１時間記録した場合の記録容量は、２５Ｍｂｐｓ×３６００秒＝９０．０Ｇｂとなる。したがって、フラッシュメモリ１０３の容量が１００Ｇｂであると仮定しても、コンテンツ全体をフラッシュメモリ１０３に記録した場合、アナログ放送で５コンテンツ、地上デジタル放送に至っては１コンテンツしか記録できない。
【００３３】
一方、本実施形態のようにＨＤＤ１０１が起動するまでの各コンテンツの先頭部分のみをフラッシュメモリ１０３に格納した場合は、アナログ放送の場合６Ｍｂｐｓ×１３秒＝７８Ｍｂ、地上デジタル放送でも２５Ｍｂｐｓ×１３秒＝３２５Ｍｂで収まる。したがって、記録再生装置に格納されるコンテンツ数を十分実用的な５０コンテンツであるとすると、全コンテンツをＨＤで録画した場合でも、フラッシュメモリ１０３の容量は３２５Ｍｂ×５０＝１６．２５Ｇｂだけあればよい。つまり、従来の記録再生装置にフラッシュメモリ１０３を追加することによるシステムコストの増加も、必要最小限に抑えることが可能である。
【００３４】
図３は、上記再生のステップにおける、記録媒体の切り替わりを示したものである。コンテンツの再生は、まず装置の起動時間がほとんど必要ないフラッシュメモリ１０３から行われる（３０１）。フラッシュメモリ１０３からのコンテンツ再生が終了すると、コンテンツ本体が入っているＨＤＤ１０１又はＤＶＤドライブ１０２からの再生へ切り替わり、続きのデータが再生される（３０２、３０３）。見る頻度が低いコンテンツなどの、フラッシュメモリ１０３にコンテンツデータがない場合は、従来のＨＤＤレコーダと同様に常にＨＤＤ１０１からの再生（３０２）へ固定、又はＤＶＤドライブ１０２からの再生（３０３）へ固定となる。
【００３５】
図４は、本実施形態におけるコンテンツ再生時の、各記録媒体へのコンテンツの格納状況を模式的に示したものである。４０１はＨＤＤ１０１に記録されているコンテンツデータを模式的に示したもの、４０２はフラッシュメモリ１０３に記録されているコンテンツデータを模式的に示したもの、４０３は再生コンテンツがデコードされるバッファリングの様子を時系列で示したものである。
【００３６】
図４に示された矩形及び矩形内の数字は、コンテンツを構成する単位であるとする。ここで、ＨＤＤ格納コンテンツ４０１の「１」とフラッシュメモリ格納コンテンツ４０２の「１’」は等価なストリームである。同様に「２」と「２’」、「３」と「３’」、・・・「２６」と「２６’」も等価なストリームである。デコードデータ４０３は、全て同時に格納されているのではなく、時間の経過に沿って、格納されているデータは変化する。
【００３７】
コンテンツの再生要求が起こると、前述したようにフラッシュメモリ１０３に格納されているコンテンツの先頭部分４０２が、「１’」、「２’」、「３’」・・・「２５’」、「２６’」と順次フラッシュメモリ１０３よりデコーダ１０７に供給され、デコードデータ４０３の「１’」、「２’」、「３’」・・・「２５’」、「２６’」となる。
【００３８】
また、フラッシュメモリ１０３からコンテンツの再生を行っている間は、ＨＤＤ１０１はアクセス可能状態にないため、ＨＤＤ１０１からのストリーム再生は行えない。
【００３９】
フラッシュメモリ１０３からのコンテンツの先頭部分の再生が終了するときにはＨＤＤ１０１の起動が完了しており、続きのデータとなるＨＤＤ格納コンテンツ４０１の「２７」がデコーダ１０７へ供給され、デコードデータ４０３の「２７」となる。以降、「２８」、「２９」、「３０」・・・とＨＤＤ１０１に格納されているコンテンツから、再生が行われる。
【００４０】
次に、スリープ状態から再生動作に入る場合について説明する。ここでは、以下のような状況を想定している。すなわち、ＨＤＤ１０１からコンテンツを再生している途中で、再生を停止する。すると当該記録再生装置は、チューナーからの映像を出力するようになる。このとき、ＨＤＤ１０１からのコンテンツの読み出しは停止することになり、消費電力の観点から、できればＨＤＤ１０１をローパワーモードにすることが望ましい。ここから再び再生ボタンを押したとすると、その直前まで見ていたコンテンツの続きから再生が開始されるのが望ましい。
【００４１】
図５は、そのときのＨＤＤ１０１をローパワーモードへ遷移させる際のフローチャートである。図５によれば、停止ボタンを押したとき、映像の切り替えが起こる（Ｓ５０１）。このとき、デコーダ１０７が停止した時刻から、再生を再開したときに必要となるコンテンツデータを特定し、フラッシュメモリ１０３にコピーすべき再生データ量を取得する（Ｓ５０２）。コピーすべきデータ容量は、ＨＤＤ１０１がローパワーモードから電源ＯＮされ、通常モードへ遷移するまでに要する時間分のデータ量である。
【００４２】
次に、ステップＳ５０２で指定されたコンテンツデータを、ＨＤＤ１０１からフラッシュメモリ１０３へコピーする（Ｓ５０３）。このときコピーされたコンテンツデータを、デフォルト再生データとする。次に、コピーしたデータの続きのデータ位置の情報をフラッシュメモリ１０３に記録する（Ｓ５０４）。最後に、ＨＤＤ１０１をローパワーモードにする（Ｓ５０５）。
【００４３】
図６は、ＨＤＤ１０１がローパワーモードへ遷移した後、再び再生ボタンを押したときの動作を示す。再生ボタンを押すと、フラッシュメモリ１０３より図５のステップＳ５０４で設定されたデフォルト再生データの再生を開始し、同時にＨＤＤ１０１の起動を行う（Ｓ６０１）。なお、ここでも図２にてステップＳ２０４〜Ｓ２０７に示した、フラッシュメモリ１０３とＨＤＤ１０１とのシームレス切り替えを行うための動作を行う。そして、フラッシュメモリ１０３からのコンテンツデータ再生が終了すると（Ｓ６０２）、この続きのデータ位置を読み込み、デコーダ１０７に対してその続きのデータを供給する（Ｓ６０３）。
【００４４】
このように、メディアのアクセスが遅くなるような処理（ローパワーモードへの遷移）に入る前に、再開後そのメディアが最初に読み出すべきコンテンツデータ部分を、起動が速いメモリ（本実施形態ではフラッシュメモリ１０３）に読み込んでおくわけである。
【００４５】
そうすることで、コンテンツ再生を再開した場合でも、メディアの起動時間を待つ必要がなく、ユーザが快適に操作できる。また、消費電力の大きいメディアをローパワーモードに遷移させることで消費電力を抑えることも可能である。
【００４６】
最後に、チューナからの受信映像などを記録する場合について説明する。まず注目すべきは、記録された各コンテンツは、その記録開始地点をアクセスすることが多いということである。これは、ユーザが再生要求を出したときに最初に表示されるメニューに、各コンテンツの初めの映像が出ることが望ましいからである。よって、すでに説明したように記録開始地点から一定時間以上のコンテンツの一部を、ＨＤＤ１０１と共にフラッシュメモリ１０３に格納しておけば、次回からの再生要求があったときに望ましいメニュー表示となる。また、ユーザがコンテンツを編集した際に追加したチャプター情報などの編集点も、フラッシュメモリ１０３に記録しておくにふさわしいであろう。
【００４７】
その他、シーンのサーチを考慮して、ＭＰＥＧのＩピクチャのみをフラッシュメモリ１０３に書き込んでいってもよい。ユーザのコンテンツサーチに役立つこのような映像をフラッシュメモリ１０３に記録しておけば、ユーザがシーンサーチをしている間にＨＤＤ１０１の起動を完了させることができるので、ＨＤＤ１０１の起動待ちといったようなことが実質殆ど起きないようにすることができる。
【００４８】
以上、様々な例を挙げたが、起動直後にアクセス頻度が高いと思われるストリーム部分がフラッシュメモリ１０３に記録されるようにしておけば、非常に効果的であることがわかる。フラッシュメモリ１０３には、ＨＤＤ１０１に記録されている全コンテンツに関して、各コンテンツの一部のみが記録されていることが望ましい。フラッシュメモリ１０３の容量が限られている場合は、記録された日時が新しいコンテンツや、アクセス頻度が高いコンテンツに関してフラッシュメモリ１０３に記録しておいてもよい。
【００４９】
また、記録しておくべき内容を圧縮することで、各コンテンツの容量を小さくしてもよい。フラッシュメモリ１０３には、説明してきたように、コンテンツの先頭部分、再生中の停止直後のコンテンツ、コンテンツサーチ用のデータなどを入れるわけであるが、このときのコンテンツデータは、必ずしもＨＤＤ１０１などに記録されている記録フォーマットと同じである必要はない。特にＤＶＤに書き込む場合などは規格の制限によりナビゲーション用にランダムアクセスするためのデータが定期的に書き込まれる。しかし、フラッシュメモリ１０３においては、比較的時間が短いため規格に合致するようなデータは必ずしも必要としない。そのため不必要なデータを削除した状態でフラッシュメモリ１０３に転送できる。また、コンテンツデータ自体を独自のフォーマットで再圧縮してもよいし、異なるフォーマットで圧縮しなおしてもよい。
【００５０】
なお、これらコンテンツをＨＤＤ１０１とフラッシュメモリ１０３の２つの記録媒体に記録するわけであるが、セキュリティなどの関係からすればフラッシュメモリ１０３に記録する場合、暗号化しておくことが望ましい。
【００５１】
ここまで主としてＨＤＤ１０１を用いて本実施形態の特徴及び動作を説明してきたが、ＤＶＤドライブ１０２でも同様に考えることができる。
【００５２】
以上のように本実施形態によれば、データのアクセスが可能になるまでの起動時間が異なる２つ以上の記録媒体を有し、一方をデータのアクセスが可能になるまでの時間が大きいが、記録可能な容量が大きいＨＤＤ１０１とし、他方にデータのアクセスが可能になるまでの装置の起動時間が小さいが、記録容量も小さいフラッシュメモリ１０３を使用し、常に起動時間の短いフラッシュメモリ１０３からコンテンツの再生を開始することで、再生開始までに要する時間を短くすることができる。
【００５３】
また、従来のＨＤＤレコーダでは、ＨＤＤ１０１をローパワーモードへ遷移させた場合、次回の再生時にＨＤＤ１０１の起動を待たなければならなかった。一方、本実施形態ではＨＤＤ１０１がローパワーモードになっていても、フラッシュメモリ１０３より即座にユーザの再生要求に応じることができる。そのため、アクセスが発生しない時には、消費電力の大きいＨＤＤ１０１をローパワーモードに落とすことで、消費電力を削減でき、更に次回再生時にもＨＤＤ１０１の起動を待つ必要がない。
【００５４】
特に本実施形態は、ＨＤＤ１０１へのアクセスが可能になるまでに要する時間分のデータのみフラッシュメモリ１０３に記録することを特徴とする。このような形態をとることで、フラッシュメモリ１０３に複数のコンテンツを効率的に格納でき、フラッシュメモリ１０３の追加によるシステムコストも低く抑えることができる。
【産業上の利用可能性】
【００５５】
以上説明してきたとおり、本発明による記録再生装置は、データのアクセスが可能になるまでの起動時間が異なる２つ以上の記録媒体を有し、再生時にそれらの記録媒体を切り替えて再生することにより、再生までに要する時間を短くすることが可能となり、記録再生装置として有用である。
【図面の簡単な説明】
【００５６】
【図１】本発明に係る記録再生装置の構成例を示すブロック図である。
【図２】図１の記録再生装置の再生動作を示すフローチャート図である。
【図３】図１の記録再生装置の記録媒体切り替え動作を示す概念図である。
【図４】図１の記録再生装置の再生シーケンスを示すタイムチャート図である。
【図５】図１の記録再生装置の再生停止動作を示すフローチャート図である。
【図６】図１の記録再生装置の再生再開動作を示すフローチャート図である。
【符号の説明】
【００５７】
１０１  ＨＤＤ
１０２  ＤＶＤドライブ
１０３  フラッシュメモリ
１０４  インターフェース制御部
１０５  エンコーダ
１０６  エンコーダ用ＳＤＲＡＭ
１０７  デコーダ
１０８  デコーダ用ＳＤＲＡＭ
１０９  記録フォーマット変換部
１１０  画像処理ＬＳＩ
３０１  フラッシュメモリへの切り替えスイッチ
３０２  ＨＤＤへの切り替えスイッチ
３０３  ＤＶＤドライブへの切り替えスイッチ
４０１  ＨＤＤ格納コンテンツ
４０２  フラッシュメモリ格納コンテンツ
４０３  デコードデータ
【図１】
2009110612.tif 000003
【図２】
2009110612.tif 000004
【図３】
2009110612.tif 000005
【図４】
2009110612.tif 000006
【図５】
2009110612.tif 000007
【図６】
2009110612.tif 000008